(57)【要約】  【課題】  複数フラッシュによる光量比の確認を照明時間を気にすることなく、少ない撮影回数にて複数パターンの光量比で行う。  【解決手段】  異なる方向から被写体を照明する複数の照明手段を用いたストロボ撮影が可能な撮影システムであって、前記被写体を撮像して画像を生成する撮像手段と、ストロボ撮影時における前記複数の照明手段の発光量の光量比を選択するための光量比選択手段と、前記複数の照明手段の発光を制御する制御手段と、前記複数の照明手段のそれぞれを単独で発光させた際に前記撮像手段により生成された複数の画像に基づいて、前記光量比選択手段により選択された光量比に対応した画像を生成する画像演算手段と、前記画像演算手段により生成された画像を表示する表示手段と、を有する。【選択図】図１１
2010008832.tif 000002
【特許請求の範囲】
【請求項１】
異なる方向から被写体を照明する複数の照明手段を用いたストロボ撮影が可能な撮影システムであって、
前記被写体を撮像して画像を生成する撮像手段と、
ストロボ撮影時における前記複数の照明手段の発光量の光量比を選択するための光量比選択手段と、
前記複数の照明手段の発光を制御する制御手段と、
前記複数の照明手段のそれぞれを単独で発光させた際に前記撮像手段により生成された複数の画像に基づいて、前記光量比選択手段により選択された光量比に対応した画像を生成する画像演算手段と、
前記画像演算手段により生成された画像を表示する表示手段と、を有することを特徴とする撮影システム。
【請求項２】
前記表示手段は、前記画像演算手段により生成された画像を前記光量比選択手段により選択された光量比と対応づけて表示することを特徴とする請求項１に記載の撮影システム。
【請求項３】
異なる方向から被写体を照明する複数の照明手段を用いたストロボ撮影が可能な撮影システムであって、
前記被写体を撮像して画像を生成する撮像手段と、
ストロボ撮影時における前記複数の照明手段の発光量の光量比をあらかじめ決められた複数の光量比の中から選択するための光量比選択手段と、
前記複数の照明手段の発光を制御する制御手段と、
前記複数の照明手段のそれぞれを単独で発光させた際に前記撮像手段により生成された複数の画像に基づいて、前記あらかじめ決められた複数の光量比のそれぞれに対応した複数の画像を生成する画像演算手段と、
前記画像演算手段により生成された複数の画像を一覧表示する表示手段と、を有することを特徴とする撮影システム。
【請求項４】
前記制御手段は、前記表示手段に一覧表示された複数の画像の中から前記光量比選択手段により選択された画像に対応した光量比をストロボ撮影時の光量比とすることを特徴とする請求項３に記載の撮影システム。
【請求項５】
異なる方向から被写体を照明する複数の照明手段をを用いたストロボ撮影が可能な撮像装置であって、
前記被写体を撮像して画像を生成する撮像手段と、
ストロボ撮影時における前記複数の照明手段の発光量の光量比を選択するための光量比選択手段と、
前記複数の照明手段の発光を制御する制御手段と、
前記複数の照明手段のそれぞれを単独で発光させた際に前記撮像手段により生成された複数の画像に基づいて、前記光量比選択手段により選択された光量比に対応した画像を生成する画像演算手段と、
前記画像演算手段により生成された画像を表示する表示手段と、を有することを特徴とする撮像装置。
【請求項６】
異なる方向から被写体を照明する複数の照明手段を用いたストロボ撮影が可能な撮像装置であって、
前記被写体を撮像して画像を生成する撮像手段と、
ストロボ撮影時における前記複数の照明手段の発光量の光量比をあらかじめ決められた複数の光量比の中から選択するための光量比選択手段と、
前記複数の照明手段の発光を制御する制御手段と、
前記複数の照明手段のそれぞれを単独で発光させた際に前記撮像手段により生成された複数の画像に基づいて、前記あらかじめ決められた複数の光量比のそれぞれに対応した複数の画像を生成する画像演算手段と、
前記画像演算手段により生成された複数の画像を一覧表示する表示手段と、を有することを特徴とする撮像装置。
【発明の詳細な説明】
【技術分野】
【０００１】
本発明は、複数のフラッシュ（照明手段）を用いてストロボ撮影を行う撮影システムおよび撮像装置に関する。
【背景技術】
【０００２】
フラッシュを用いたストロボ撮影を行う際に、フラッシュの光照射方向及び光量を選択することで様々な写真表現を行うことができる。また、複数のフラッシュを用いて互いに異なる方向から同時に、かつ互いに異なる又は同じ光量比で被写体を照明して撮影を行う撮影システムが従来用いられている。このような撮影システムにより撮影を行う場合に、予め複数のフラッシュにより照明された被写体の様子（明るさ分布）を確認できると便利である。
【０００３】
例えば、特許文献１には、複数のフラッシュの光量比制御された小光量での発光を一定間隔で連続して行うことで光量比の確認を行えるようにした撮影システムが開示されている。また、特許文献２には、複数のフラッシュを用いて光量比を変えながら複数回撮影を行うことで、実際に撮影された画像によって光量の比を確認できるようにした撮影システムが開示されている。
【特許文献１】特開２０００−０８９３０５号公報
【特許文献２】特開平１１−１１９２８３号公報
【発明の開示】
【発明が解決しようとする課題】
【０００４】
しかしながら、前述の特許文献１にて開示された撮影システムでは、光量比を確認する時間がフラッシュの放電開始から放電により充電電圧が低下するまでの短い時間の間に限られる。
【０００５】
また、特許文献２にて開示された撮影システムでは、撮影前に設定された光量比で複数のフラッシュを発光させて取得した画像の状態しか確認が出来ないという問題があった。
【課題を解決するための手段】
【０００６】
本発明の実施例としての撮影システムは、異なる方向から被写体を照明する複数の照明手段を用いたストロボ撮影が可能な撮影システムであって、前記被写体を撮像して画像を生成する撮像手段と、ストロボ撮影時における前記複数の照明手段の発光量の光量比を選択するための光量比選択手段と、前記複数の照明手段の発光を制御する制御手段と、前記複数の照明手段のそれぞれを単独で発光させた際に前記撮像手段により生成された複数の画像に基づいて、前記光量比選択手段により選択された光量比に対応した画像を生成する画像演算手段と、前記画像演算手段により生成された画像を表示する表示手段と、を有することを特徴とする。
【発明の効果】
【０００７】
本発明によれば、複数の照明手段による光量比の確認を照明時間を気にすることなく、少ない撮影回数にて複数パターンの光量比で行うことができる。
【発明を実施するための最良の形態】
【０００８】
以下、添付図面を参照して、本発明の実施例について説明する。なお、各図において同一の参照符号は同一部材を表している。
【実施例１】
【０００９】
図１には、本発明の実施例１である撮影システムに用いられる、マスタフラッシュ（照明手段）を備えたデジタルカメラの構成を示している。マスタフラッシュは、デジタルカメラから後述する第１のスレーブフラッシュ及び第２のスレーブフラッシュ（第１の照明手段及び第２の照明手段）に対して光によるワイヤレス通信を行うために用いられる。また、図２には、第１及び第２のスレーブフラッシュの構成を示している。
【００１０】
図１において、１００はカメラ本体を、２００は交換レンズを、３００はマスタフラッシュを示している。
【００１１】
まず、カメラ本体１００の構成について説明する。１０１はカメラ本体１００の各部を制御したり各種演算をしたりする制御手段としてのマイクロコンピュータ（以下、カメラマイコンという）である。１０２は、赤外カットフィルタ、ローパスフィルタ等を含むＣＣＤセンサ、ＣＭＯＳセンサ等の撮像素子である。撮像素子１０２は、交換レンズ２００内に設けられた結像レンズ２０２によって形成された被写体像を光電変換する。１０３は撮像素子１０２からの出力信号をＡ／Ｄ変換するＡ／Ｄ変換器である。１０４は撮像素子１０２とＡ／Ｄ変換器１０３の駆動タイミングをコントロールするタイミング信号を発生するタイミングジェネレータ（ＴＧ）である。１０５は、Ａ／Ｄ変換器１０３でデジタル信号に変換された撮像データを、画像処理パラメータにしたがって処理することで画像を生成するデジタル信号処理回路である。１０６はデジタル信号処理回路１０５により生成された画像や、カメラ本体１００やマスタフラッシュの設定等を表示するディスプレイ（表示手段）である。１０７は画像を長期に保存するための記録媒体で不揮発性の半導体メモリや光ディスク等が用いられる。１０８は画像を一時保存するための半導体メモリ等の一時記録回路、、一時記録回路１０８と記録媒体１０７は、ひとつの記録手段としても構わない。
【００１２】
１５０は、主ミラーであり、ファインダ１６０で被写体を観察するときには、符号１５０Ａで示すように、結像レンズ２０２からの撮影光路内に配置される（以下、この状態を観察状態という）。また、主ミラー１５０は、撮像素子１０２により撮像を行うときには、符号１５０Ｂで示すように撮影光路外に退避する（以下、この状態を撮影状態という）。主ミラー１５０の動作は、カメラマイコン１０１からの制御信号により、モータ（図示せず）を駆動することで行われる。
【００１３】
１５１は結像レンズ２０２の予定結像面に配置されたピント板、１５２はファインダー光路変更用のペンタプリズムである。１６０はファインダーで、撮影者は、この窓よりピント板１５１を観察することで、撮影画面を観察することができる。１５３及び１５４は、観察画面内の被写体輝度を測定するためのレンズと測光ユニットである。結像レンズ２０２は、ペンタプリズム１５２内の反射光路を介してピント板１５１と測光ユニット１５４を共役に関係付けている。測光ユニット１５４の出力は、カメラマイコン１０１のＡ／Ｄ端子（図示せず）に入力され、カメラマイコン１０１は測光値を読み取る。
【００１４】
１５５は、シャッターであり、先幕と後幕の走行によって撮像素子１０２の露光量を制御する。シャッター１５５の動作制御も、カメラマイコン１０１からの制御信号により制御される。なお、シャッター１５５を設けず、撮像素子１０２の電荷蓄積動作のＯＮ／ＯＦＦにシャッター機能を持たせる電子シャッターを用いてもよい。
【００１５】
１３０は、マスタフラッシュ３００内に設けられたマスタフラッシュマイコン３１３とカメラマイコン１０１とのインターフェースである。インターフェース１３０は、Ｘ端子、ＧＮＤ、ＳＣＬＫ＿Ｓ端子、ＭＯＳＩ＿Ｓ端子、およびＭＩＳＯ＿Ｓ端子で構成される。Ｘ端子は、発光開始信号を伝送する端子である。ＳＣＬＫ＿Ｓ端子は、カメラマイコン１０１からマスタフラッシュマイコン３１３に通信クロックを伝送する端子である。ＭＯＳＩ＿Ｓ端子は、通信クロックに同期してカメラマイコン１０１からマスタフラッシュマイコン３１３にデータを伝送する端子である。ＭＩＳＯ＿Ｓ端子は、通信クロックに同期してマスタフラッシュマイコン３１３からカメラマイコン１０１にデータを送信する端子である。この構成により、カメラマイコン１０１とマスタフラッシュマイコン３１３間で通信を可能にしている。
【００１６】
１２０は、交換レンズ２００内に設けられたレンズマイコン２０１とカメラマイコン１０１とのインターフェースである。インターフェース１２０は、ＧＮＤ、ＳＣＬＫ＿Ｌ端子、ＭＯＳＩ＿Ｌ端子、およびＭＩＳＯ＿Ｌ端子で構成される。ＳＣＬＫ＿Ｌ端子は、カメラマイコン１０１からレンズマイコン２０１に通信クロックを伝送する端子である。ＭＯＳＩ＿Ｌ端子は、通信クロックに同期してカメラマイコン１０１からレンズマイコン２０１にデータを伝送する端子である。ＭＩＳＯ＿Ｌ端子は、ＳＣＬＫ＿Ｌ端子に同期してレンズマイコン２０１からカメラマイコン１０１にデータを送信する端子である。この構成により、カメラマイコン１０１とレンズマイコン２０１間で通信を可能にしている。
【００１７】
１７０は、撮影者による操作に応じた情報をカメラマイコン１０１に伝達する入力キーである。
【００１８】
次に交換レンズ２００内の構成について説明する。２０１はレンズ各部の動作を制御するレンズマイコンであり、２０２は複数枚のレンズによって構成された結像レンズである。２０３は、結像レンズ２０２内の焦点位置合わせ用のレンズを移動させるレンズ駆動装置である。レンズの駆動量は、カメラ本体１００内にある公知の自動焦点検出手段（図示せず）の出力により、カメラマイコン１０１内で演算される。該レンズの駆動量は、カメラマイコン１０１からレンズマイコン２０１に伝達され、レンズマイコン２０１は伝達された駆動量の分だけ、レンズ駆動装置２０３を駆動させる。
【００１９】
２０４は、結像レンズ２０２の焦点位置を検出するエンコーダである。２０５は、絞りであり、絞り制御装置２０６によって、絞り２０５の駆動が制御される。また、結像レンズ２０２の焦点距離は、単焦点のものであっても可変のものであっても構わない。
【００２０】
次に、マスタフラッシュ３００内の構成について説明する。３１３は、マスタフラッシュ各部の動作を制御するマスタフラッシュマイコンである（以下、マスタマイコンという）。３０１は電源となる電池、３０２は電池３０１の電圧を数百Ｖに昇圧する昇圧回路、３０３は昇圧回路３０２から出力を充電するコンデンサ、３０４及び３０５はコンデンサ３０３に充電された電荷にかかる電圧を分圧する抵抗である。分圧点は、マスタマイコン３１３のＡ／Ｄ変換端子であるＭＣＶ＿ＡＤ端子に接続される。
【００２１】
３０７は、コンデンサ３０３に充電された静電エネルギーを光に変換し、被写体に照射する放電管である。３０６は、放電管３０７の発光開始の際に数ｋＶの電圧を放電管３０７に印加する公知のトリガ回路である。３０８は、放電管３０７の発光開始及び停止を制御する発光制御装置であり、発光の際にコンデンサ３０３の高圧側−放電管３０７−発光制御装置３０８−コンデンサ３０３の低圧側（ＧＮＤ）の放電ループを形成する。
【００２２】
３１０は、フォトダイオード等のセンサで構成される受光センサであり、放電管３０７の発光による光を受光する。３０９は、受光センサ３１０での受光量を積分する積分回路である。積分回路３０９の出力は、コンパレータ３１２の反転入力とマスタマイコン３１３に設けられたＡ／ＤコンバータのＩＮＴ＿ＡＤ端子に接続される。コンパレータ３１２の非反転入力は、マスタマイコン３１３に設けられたＤ／ＡコンバータのＩＮＴ＿ＤＡＣ端子に接続される。コンパレータ３１２の出力は、ＡＮＤゲート３１１に接続される。また、ＡＮＤゲート３１１への他の入力として、マスタマイコン３１３のＦＬ＿ＳＴＡＲＴ端子とＩＮＴ＿ＦＰ端子が接続されてる。ＡＮＤゲート３１１の出力は、ＯＲゲート３２４を介し発光制御装置３０８に接続される。
【００２３】
３２５は、受光センサ３１０で受光された光による電荷を電気信号に変換する電圧変換器である。電圧変換器３２５の出力は、コンパレータ３２１の反転入力に接続される。コンパレータ３２１の非反転入力は、マスタマイコン３１３内に設けられたＤ／Ａコンバータの出力端子であるＦＰ＿ＤＡＣ端子に接続される。コンパレータ３２１の出力は、ＡＮＤゲート３２３に接続される。また、ＡＮＤゲート３２３への他の入力として、マスタマイコン３１３のＦＬ＿ＳＴＡＲＴ端子とＩＮＴ＿ＦＰ端子の出力をＮＯＴゲート３２０によって反転した信号が入力される。ＡＮＤゲート３２３の出力は、ＯＲゲート３２４を介し発光制御装置３０８に接続される。ＯＲゲート３２４の出力は、マスタマイコン３１３の入力端子であるＣＮＴ＿ＩＮ端子にも接続される。
【００２４】
３３０は、光通信受光センサであって、光通信信号を受信するとＷＣＯＭ端子を介してマスタマイコン３１３に受信した信号を伝える。
【００２５】
図２には、スレーブフラッシュが図示されている。図２（ａ）に図示されているのは、操作部材（図示せず）でスレーブＡの位置に設置された第１のスレーブフラッシュ３００Ａ（第１の照明手段）である。図２（ｂ）に図示されているのは、操作部材（図示せず）でスレーブＢの位置に設置された第２のスレーブフラッシュ３００Ｂ（第２の照明手段）である。図１のマスタフラッシュの３００〜３１３、３２０〜３２５及び３３０が、図２（ａ）の３００Ａ〜３１３Ａ、３２０Ａ〜３２５Ａ及び３３０Ａと、図２（ｂ）の３３０Ｂ〜３１３Ｂ、３２０Ｂ〜３２５Ｂ及び３３０Ｂとに各々対応する。なお、以下では、マスタフラッシュのマスタマイコン３１３に対して３１３Ａおよび３１３Ｂをスレーブマイコンとする。
【００２６】
次に、カメラ本体１００に接続されたマスタフラッシュ３００の発光動作について説明する。
【００２７】
マスタマイコン３１３は、ＣＨＧ＿ＯＮ端子をＨとし昇圧回路３０２を動作させ、コンデンサ３０３を充電する。マスタマイコン３１３は、コンデンサ３０３の充電電圧をＭＣＶ＿ＡＤ端子によりＡ／Ｄ変換して検出し（ＭＣＶ）、所定電圧以上となるまで充電を継続する。
【００２８】
本実施例では、マスタフラッシュ３００とスレーブフラッシュ３００Ａ，３００Ｂはワイヤレスで通信を行う。図５、６及び７を用いて、ワイヤレスでマスタフラッシュ３００とスレーブフラッシュ３００Ａ及び３００Ｂが、通信を行う場合について説明する。
【００２９】
カメラマイコン１０１からの通信により発光させるスレーブフラッシュのグループ及び発光量が、マスタマイコン３１３に設定されると、マスタマイコン３１３は、該設定された条件を光通信データに変換して送信する。なお、本実施例では、スレーブフラッシュのグループとはスレーブフラッシュ３００Ａおよび３００Ｂのことであり、光通信はデータは図５（ｅ）のマスタフラッシュの発光波形Ｔ２のタイミングで送信される。
【００３０】
光通信のデータは、図５（ｅ）のマスタフラッシュの発光波形でのＴ２乃至Ｔ４の様に所定間隔でマスタフラッシュ３００の微小発光と非発光を繰り返すことにより光パルスとして送信される。その後にＸ端子をＬとすることにより、マスタマイコン３１３は、スレーブフラッシュに対して発光開始の光パルス（ＦＩＲＥ）を送信することで発光の指示を行う（図５（ｅ）のマスタフラッシュの発光波形Ｔ５のタイミングで送信する）。
【００３１】
発光波形Ｔ２のデータの形式では、図７に示されるの様に、１バイト目のＤ６及び７の組み合わせで、発光させるスレーブフラッシュのグループの情報が送信され、２バイト目で発光量が送信される。図７（Ｂ）に示される様に、発光量に対する送信情報は、１／１発光をＢ０と設定し、送信情報の数が１カウント下がるごとに、光量は１／８段下がるように設定される（１段下がると光量は１／２倍となる）。
【００３２】
なお、１バイト目の送信情報がスレーブフラッシュの全グループ（ＡＬＬ）の場合には、マスタマイコン３１３は、２バイト目にスレーブフラッシュ３００Ａの発光量を、３バイト目に２バイト目と同じフォーマットでスレーブフラッシュ３００Ｂの発光量を送信する。なお、発光量は、図６（ｅ）のマスタフラッシュの発光波形Ｔ２乃至Ｔ５のタイミングで送信される。
【００３３】
マスタフラッシュによる光通信の各1ＢＩＴの発光動作について説明する。発光開始指示をする光パルスも同様である。
【００３４】
マスタマイコン３１３は、ワイヤレス光通信１ＢＩＴ相当の発光量に応じた電圧をＦＰ＿ＤＡＣ端子から出力し、ＩＮＴ＿ＦＰ端子にＬ、ＦＬ＿ＳＴＡＲＴ端子にＨを出力する。ＴＲＩＧ端子から所定時間、Ｈを出力することにより、放電管３０７は、発光を開始する。
【００３５】
コンパレータ３２１の反転入力に入力される受光センサ３１０で受光した光の電気信号を電圧変換器３２５で電圧に変換した値が、マスタマイコン３１３のＦＰ＿ＤＡ端子で設定した値より高くなると、コンパレータ３２１の出力は、ＨからＬとなる。該信号をＡＮＤゲート３２３及びＯＲゲート３２４を介して発光制御装置３０８が受けると、発光制御装置３０８は、放電ループを遮断し、放電を停止させる。マスタマイコン３１３は、ＯＲゲート３２４の出力がＨからＬに変わったことをＣＮＴ＿ＩＮ信号にて受けると、ＦＬ＿ＳＴＡＲＴ端子をＬとして光通信の１ＢＩＴの発光を終了する。通信フォーマットに沿って上記光通信の各１ＢＩＴの発光、非発光を行うことにより上記説明の情報を光通信にて送信することができる。
【００３６】
スレーブフラッシュ３００Ａ，３００Ｂの動作について説明する。説明を簡略化するためスレーブフラッシュ３００Ａに対しての説明するが、スレーブフラッシュ３００Ｂの動作も同様である。
【００３７】
スレーブフラッシュ３００Ａのスレーブマイコン３１３Ａは、ＣＨＧ＿ＯＮ端子をＨとし昇圧回路３０２Ａを動作させ、コンデンサ３０３Ａを充電する。スレーブフラッシュ３００Ｂのスレーブマイコン３１３Ａは、コンデンサ３０３Ａの充電電圧をＭＣＶ＿ＡＤ端子によりＡ／Ｄ変換して検出し（ＭＣＶ）、所定電圧以上となるまで充電を継続する。
【００３８】
スレーブフラッシュ３００Ａ，３００Ｂのスレーブマイコン３１３Ａ，３１３Ｂの光パルスの受信動作フローを図８に沿って説明する。
【００３９】
光通信受光センサ３３０Ａ，３３０Ｂが、光パルス（図５に示すＳＴＡＲＴ）を受信しＷＣＯＭ端子に信号を伝えると、スレーブマイコン３１３Ａ，３１３Ｂは、割り込み処理を開始する（Ｓ２００１：以下、フローにおけるステップをこのように記述する）。スレーブマイコン３１３Ａ，３１３Ｂは、光パルスの受信による割込み処理を禁止する（Ｓ２００２）。
【００４０】
次に、スレーブマイコン３１３Ａ，３１３Ｂは、発光開始パルス待ちＦＬＧがＨとなっているかを判定する（Ｓ２００３）。ＦＬＧがＨでなかった場合、スレーブマイコン３１３Ａ，３１３Ｂは、光通信のビット間隔を計測する不図示のタイマをスタートさせる（Ｓ２００４）。スレーブマイコン３１３Ａ，３１３Ｂは、タイマが所定時間になったかを判定し、所定時間であればＳ２００６に進み、所定時間になっていなければ繰り返しＳ２００５の処理を行う（Ｓ２００５）。
【００４１】
タイマが所定時間になると、スレーブマイコン３１３Ａ，３１３Ｂは、ＷＣＯＭ端子に光パルス（図５に示すＤ７〜Ｄ０）が入力されいるかを判別し、受信レジスタにビットの値を設定する（Ｓ２００６）。そして、スレーブマイコン３１３Ａ，３１３Ｂは、１バイトの通信が終了したかを判別し（Ｓ２００７）、１バイトの通信が終了していればＳ２００８に進み、終了していなければＳ２００４に進む。１バイトの通信が終了すると、スレーブマイコン３１３Ａ，３１３Ｂは、受信した1バイト分の情報処理を行い（Ｓ２００８）、処理終了後Ｓ２００９に進む。
【００４２】
Ｓ２００３においてＦＬＧがＨであった場合、スレーブマイコン３１３Ａ，３１３Ｂは、発光開始処理を行い（Ｓ２０１１）、処理終了後Ｓ２０１２に進む。Ｓ２０１２において、スレーブマイコン３１３Ａ，３１３Ｂは、発光開始パルス待ちＦＬＧをＬに設定しＳ２００９に進む。
【００４３】
Ｓ２００９では、光通信パルス割込み処理を許可に切換えＳ２０１０に進み、処理を終了する。
【００４４】
次に、図８のＳ２００８の光通信により受信した１バイトの情報処理を具体的に図９のフローに沿って説明を行う。
【００４５】
スレーブマイコン３１３Ａ，３１３Ｂは、１バイト情報処理をスタートする（Ｓ２１０１）。スレーブマイコン３１３Ａ，３１３Ｂは、１バイト目待ちの状態かを判別し（Ｓ２１０２）、１バイト目待ちであればＳ２１０３に進み、１バイト目待ちでなければＳ２１１０に進む。
【００４６】
Ｓ２１０２において、１バイト目であると判別された場合、スレーブマイコン３１３Ａ，３１３Ｂは、１バイト目の通信内容をスレーブマイコン３１３Ａ，３１３Ｂの記録媒体（図示せず）に記録する（Ｓ２１０３）。そして、次に受信される1バイトを２バイト目として処理する２バイト目待ちに設定する（Ｓ２１０４）。そして、スレーブマイコン３１３Ａ，３１３Ｂは、発光開始パルス待ちＦＬＧをＬに設定し（Ｓ２１０５）、処理を終了する（Ｓ２１０６）。
【００４７】
Ｓ２１０２において、１バイト目待ちでないと判別された場合、スレーブマイコン３１３Ａ，３１３Ｂは、２バイト目待ちの状態かを判別し、２バイト目待ちであればＳ２１１１に進み、そうでなければＳ２１４０に進む（Ｓ２１１０）。
【００４８】
Ｓ２１１０において、２バイト目であると判別された場合、スレーブマイコン３１３Ａは、Ｓ２１０３で記録された１バイト目の内容がスレーブフラッシュＡＬＬ発光（図７（Ａ）よりＤ７が１）であるかを判別する（Ｓ２１１１）。ＡＬＬ発光であればＳ２１３０に、ＡＬＬ発光でなければＳ２１１２に進む。
【００４９】
スレーブマイコン３１３Ａは、Ｓ２１１０でスレーブマイコン３１３Ａの記録媒体に記録された１バイト目の内容がスレーブフラッシュ３００Ａの発光であればＳ２１２０に、スレーブフラッシュ３００Ａの発光でなければＳ２１１３に進む（Ｓ２１２１）。なお、この処理を行っているのがスレーブマイコン３１３Ｂの処理の場合は、Ｓ２１１０でスレーブマイコン３１３Ｂの記録媒体に記録された１バイト目の内容に対して同様の処理が行われる。
【００５０】
Ｓ２１１３では、スレーブマイコン３１３Ａ，３１３Ｂは、発光開始パルス待ちＦＬＧをＬに設定し、Ｓ２１１４に進む。
【００５１】
Ｓ２１２０では、スレーブマイコン３１３Ａは、２バイト目として受信された通信内容に応じてスレーブフラッシュ３００Ａの発光量に対応する電圧値をＩＮＴ＿ＤＡＣ端子に設定し、Ｓ２１２１に進む。なお、スレーブマイコン３１３Ｂの処理の場合は、スレーブマイコン３１３Ｂは、受信された２バイト目の通信内容に応じてスレーブフラッシュ３００Ｂの発光量に対応する電圧値をＩＮＴ＿ＤＡＣ端子に設定する。
【００５２】
Ｓ２１２１では、スレーブマイコン３１３Ａ，３１３Ｂは、発光開始パルス待ちＦＬＧをＨに設定し、Ｓ２１１４に進む。
【００５３】
Ｓ２１１１において、ＡＬＬ発光であると判定された場合、スレーブマイコン３１３Ａ，３１３Ｂは、２バイト目の通信内容をスレーブマイコン３１３Ａ，３１３Ｂの記録媒体に記録する（Ｓ２１３０）。次に受信される1バイトを３バイト目として処理する３バイト目待ちの状態に設定し（Ｓ２１３１）、Ｓ２１０５に進む。
【００５４】
Ｓ２１１０において、２バイト目待ちでないと判別された場合、スレーブマイコン３１３Ａは、Ｓ２１３０で記録した２バイト目の通信内容に応じてスレーブフラッシュ３００Ａの発光量に対応する電圧値をＩＮＴ＿ＤＡＣ端子に設定する。設定後、Ｓ２１４１に進む（Ｓ２１４０）。なお、この処理を行っているのがスレーブマイコン３１３Ｂの場合は、スレーブマイコン３１３Ｂは、３バイト目として受信された通信内容に応じてスレーブフラッシュ３００Ｂの発光量に対応する電圧値をＩＮＴ＿ＤＡＣ端子に設定する。スレーブマイコン３１３Ａ，３１３Ｂは、発光開始パルス待ちＦＬＧにＨを設定する（Ｓ２１４１）。
【００５５】
スレーブマイコン３１３Ａは、次に受信される1バイトを１バイト目として処理する１バイト目待ちの状態を設定し（Ｓ２１１４）、処理を終了する（Ｓ２１０６）。
【００５６】
図８のＳ２０１１のスレーブフラッシュ３００Ａの発光開始処理を以下に説明する。スレーブフラッシュ３００Ｂの動作も同様の動作となる。
【００５７】
スレーブマイコン３１３Ａは、図９のＳ２１２０又はＳ２１４０にて設定した発光量に対応した電圧をＩＮＴ＿ＤＡＣ端子から出力する。次に、スレーブマイコン３１３Ａは、ＩＮＴ＿ＦＰ端子からＨ、ＦＬ＿ＳＴＡＲＴ端子からＨを出力し、ＴＲＩＧ端子から所定時間、Ｈを出力することにより放電管３０７は発光を開始する。同時に、スレーブマイコン３１３Ａは、ＩＮＴ＿ＳＴ端子をＨにして積分回路３０９Ａの動作を開始する。
【００５８】
受光センサ３１０Ａで受光した光を積分回路３０９Ａは積分し、積分出力がＩＮＴ＿ＤＡＣ端子で設定した値より高くなると、コンパレータ３１２Ａの出力はＨからＬとなる。該信号をＡＮＤゲート３１１Ａ及びＯＲゲート３２４Ａを介して、発光制御装置３０８Ａが受けると、発光制御装置は、放電ループを遮断し、放電を停止させる。
【００５９】
発光停止後、スレーブマイコン３１３Ａは、ＩＮＴ＿ＡＤ端子により積分回路３０９Ａの出力をＡ／Ｄ変換する事により放電管３０７の発光量（ＩＮＴ）を検出する。
【００６０】
光量比確認の一連の動作について説明する。カメラ本体１００、マスタフラッシュ３００、スレーブフラッシュ３００Ａ及びスレーブフラッシュ３００Ｂの位置関係を図３(a)及び図３(b)で説明する。図３(a)は、位置関係を横から、図３(b)は位置関係を上からみた図である。図３の１が図１のカメラ本体１００、図３の２が図１のマスタフラッシュ３００である。図３の３が図２のスレーブフラッシュ３００Ａであり、図３の４が図２のスレーブフラッシュ３００Ｂである。被写体５に向かって左からスレーブフラッシュ３００Ａの光が照射され（線３Ａ及び３Ｂ）、被写体５に向かって右からスレーブフラッシュ３００Ｂの光が照射される（線４Ａ及び４Ｂ）構成となっている。本実施例における配置は、説明を簡潔にするための便宜的なものであり、配置事態は自由に配置可能である。
【００６１】
次に図１０および図１１のフローに沿って光量比確認の動作の説明する。
【００６２】
カメラ本体１００内の光量比確認開始の操作部材（図示せず）が押されるとカメラマイコン１０１は、動作をスタートする（Ｓ１００１）。カメラマイコン１０１は、マスタフラッシュ３００のマスタマイコン３１３に対して、スレーブフラッシュ３００Ａへのプリ発光指示をインターフェース１３０を介して送信する（Ｓ１００２）。
【００６３】
マスタマイコン３１３は、スレーブフラッシュ３００Ａに対して、図７に示されるプリ発光の光量に対応する情報（例えば、１／３２発光は８８Ｈ）を前述した光通信にて送信する（Ｓ１００３）。送信データは、１バイト目はスレーブフラッシュ３００Ａを発光させるので００００００００、２バイト目はスレーブフラッシュ３００Ａの発光量が８８Ｈなので１０００１０００となる（図７参照）。
【００６４】
スレーブフラッシュ３００Ａのスレーブマイコン３１３Ａは、マスタフラッシュ３００より送信された光通信を受信し、マスタフラッシュ３００の発光開始パルスに同期して、指示された１／３２発光でプリ発光を行わせる（Ｓ１００４）。
【００６５】
カメラマイコン１０１は、スレーブフラッシュ３００Ａのプリ発光による光の被写体５に反射された光量を測光ユニット１５４で測光させる。（Ｓ１００５）そして、既存の演算方法を用いスレーブフラッシュ３００Ａのみ照射した場合のメイン発光の適正発光量ＭＡを演算する（Ｓ１００６）。
【００６６】
カメラマイコン１０１は、マスタフラッシュ３００のマスタマイコン３１３に対して、スレーブフラッシュ３００Ｂへのプリ発光指示をインターフェース１３０を介して送信する（Ｓ１００７）。
【００６７】
マスタマイコン３１３は、スレーブフラッシュ３００Ｂに対して、図７に示されるプリ発光の光量に対応する情報（例えば、１/３２発光は８８Ｈ）を前述した光通信にて送信する（Ｓ１００８）。送信データは、１バイト目はスレーブフラッシュ３００Ｂを発光させるので０１００００００、２バイト目はスレーブフラッシュ３００Ｂの発光量が８８Ｈなので１０００１０００となる（図７参照）。
【００６８】
スレーブフラッシュ３００Ｂのスレーブマイコン３１３Ｂは、マスタフラッシュ３００より送信された光通信を受信し、マスタフラッシュ３００の発光開始パルスに同期して、指示された１／３２発光でプリ発光を行わせる（Ｓ１００９）。
【００６９】
カメラマイコン１０１は、スレーブフラッシュ３００Ｂのプリ発光による光の被写体５に反射された光量を測光ユニット１５４で測光させる。（Ｓ１０１０）そして、既存の演算方法を用いスレーブフラッシュ３００Ｂのみで照射した場合のメイン発光の適正発光量ＭＢを演算する（Ｓ１０１１）。
【００７０】
カメラマイコン１０１は、マスタフラッシュ３００のマスタマイコン３１３に対して、Ｓ１００６にて演算された発光量ＭＡによるスレーブフラッシュ３００Ａへのメイン発光発光指示をインターフェース１３０を介して送信する（Ｓ１０１２）。
【００７１】
マスタフラッシュ３００のマスタマイコン３１３は、スレーブフラッシュ３００Ａに対して、図７に示されるメイン発光の光量ＭＡに対応する情報（例えば、１/４発光はＡ０Ｈ）を光通信にて送信する（Ｓ１０１３）。送信データは、１バイト目はスレーブフラッシュ３００Ａの発光なので００００００００、２バイト目はスレーブフラッシュの発光量ＭＡがＡ０Ｈなので１０１０００００となる。
【００７２】
スレーブフラッシュ３００Ａのスレーブマイコン３１３Ａが、光通信を受け、マスタフラッシュ３００の発光開始パルスに同期して、発光量ＭＡ（例えば、１／４発光でＡ０Ｈ）にて発光を行わせる（Ｓ１０１４）。
【００７３】
カメラマイコン１０１は、スレーブフラッシュ３００Ａのみを単独で照射して撮影を行い、撮像画像Ａとして画像データを一時記録回路１０８に格納する（Ｓ１０１５）。
【００７４】
カメラマイコン１０１は、マスタフラッシュ３００のマスタマイコン３１３に対して、Ｓ１０１１にて演算された発光量ＭＢによるスレーブフラッシュ３００Ｂへの発光指示をインターフェース１３０を介して送信する（Ｓ１０１６）。
【００７５】
マスタマイコン３１３は、スレーブフラッシュ３００Ｂ対して、図７に示されるメイン発光の光量ＭＢに対応する情報（例えば、１／８発光は９８Ｈ）を光通信として送信する（Ｓ１０１７）。送信データは、１バイト目はスレーブフラッシュ３００Ｂの発光なので０１００００００、２バイト目はスレーブフラッシュＢの発光量ＭＢが９８Ｈなので１００１１０００となる（図７参照）。
【００７６】
スレーブフラッシュ３００Ｂのスレーブマイコン３１３Ｂが、光通信を受け、マスタフラッシュ３００の発光開始パルスに同期して、発光量ＭＢ（例えば、１／８発光で９８Ｈ）にて発光を行わせる（Ｓ１０１８）。
【００７７】
カメラマイコン１０１は、スレーブフラッシュ３００Ｂのみを単独で照射して撮影を行い、撮像画像Ｂとして画像データを一時記録回路１０８に格納する（Ｓ１０１９）。
【００７８】
以上の動作フローの様に、本実施例は、異なるスレーブフラッシュによる撮影を連続して行うことができる。従って、本実施例は、スレーブフラッシュ３００Ａのプリ発光、メイン発光による撮影、その後、スレーブフラッシュ３００Ｂのプリ発光、メイン発光による撮影とするよりも撮影の間隔を短縮することができる。これにより、撮影間の被写体ぶれの影響を減少することも可能となる。被写体ぶれの影響を気にしないのであれば、順番は後者であっても構わない。
【００７９】
カメラマイコン１０１は、入力キー１７０により入力されたスレーブフラッシュ３００Ａと３００Ｂの目標光量比を読み込む（Ｓ１０２０）。そして、カメラマイコン１０１とデジタル信号処理回路１０５は、一時記録回路１０８に保存されていた画像Ａ（第１の画像）の各セルのデータに、入力キー１７０により入力された目標光量比に応じた補正倍数を掛け合わせた画像Ａ’を生成する（Ｓ１０２１）。画像Ａの補正倍数は、図１２の様にストロボ撮影時の光量比として設定される目標光量比Ａ：Ｂ（画像Ａの光量：画像Ｂの光量）が１：１であれば０．５、光量比Ａ：Ｂが４：１であれば０．８となる。
【００８０】
同様に、カメラマイコン１０１は、一時記録回路１０８に保存さていた画像Ｂ（第２の画像）の各セルのデータに、入力キー１７０により入力された目標光量比に応じた補正倍数を、各セルデータに掛け合わせた画像Ｂ’を生成する（Ｓ１０２２）。画像Ｂの補正倍数は、図１２の様に目標光量比Ａ：Ｂが１：１であれば０．５、目標光量比Ａ：Ｂが４：１であれば０．２となる。
【００８１】
これら画像Ａ’と画像Ｂ’の生成は、２つの画像を合成する際に、全体としての光量が、適量となるようにするために行う。
【００８２】
なお、画像Ａ及びＢに対する補正係数は画像のガンマ特性を考慮した値であったも構わない。
【００８３】
カメラマイコン１０１は、生成された画像Ａ’とＢ’を合成し、目標光量比に応じた明るさ分布を有する画像Ｃ（第３の画像）を生成する（Ｓ１０２３）。そして、以上の画像演算処理（Ｓ１０２０〜Ｓ１０２３）にて生成された画像Ｃを、ディスプレイ１０６にて表示させる（Ｓ１０２４）。
【００８４】
カメラマイコン１０１は、保存開始部材（図示せず）が操作されたかを判別し（Ｓ１０２５）、操作されたと判別されればＳ１０４０に進み、操作されたと判別されなければＳ１０２６に進む。
【００８５】
保存開始部材が操作されなかった場合、カメラマイコン１０１は、撮影開始部材（図示していない）が操作されたかを判別し（Ｓ１０２６）、撮影開始部材が操作されればＳ１０２７へ進み、操作されなければＳ１０２０へ進む。
【００８６】
Ｓ１０２０乃至Ｓ１０２６の動作により、カメラマイコン１０１は、ディスプレイ１０６に、図４（Ａ）から（Ｅ）の様に表示する。図４のように入力キー１７０（光量比選択手段）によって入力された目標光量比もディスプレイ１０６に表示することで、スレーブフラッシュ３００Ａと３００Ｂの光量比と、該目標光量比でストロボ撮影された場合の効果との対応づけ及び確認が容易になる。
【００８７】
例えば、目標光量比が１：１であれば、図４（Ｃ）のようにスレーブフラッシュ３００Ａと３００Ｂより均等な光量を照射した場合に得られると予測される画像をディスプレイ１０６上で確認することが可能である。また、目標光量比を１：４であれば、図４（Ｄ）のようにスレーブフラッシュ３００Ｂの照射を強くした場合に得られると予測される画像をディスプレイ１０６上で確認することが可能である。
【００８８】
また、図４（Ａ）から（Ｅ）のような光量比が異なる複数の画像をディスプレイ１０６に一覧表示し、一覧表示された画像の中から任意の画像を選択することで、選択した画像に対応する光量比を目標光量比として設定するようにしてもよい。
【００８９】
Ｓ１０２６において撮影開始部材が操作されると、カメラマイコン１０１は、入力キー１７０により入力されたＡ：Ｂの目標光量比に応じた補正段数をＳ１００６及びＳ１０１１で演算されたメイン発光量ＭＡ、ＭＢに加算する。そして、目標光量比撮影の為のスレーブフラッシュ３００Ａ及び３００Ｂの発光量ＭＡ’及びＭＢ’を演算する（Ｓ１０２７）。
【００９０】
例えば、図１２に示すように、目標光量比Ａ：Ｂが１：４の場合はスレーブフラッシュ３００Ａの補正値は−２．３２段、グループＢの補正値は−０．３２段となる。
【００９１】
カメラマイコン１０１は、１カウントが１／８段に相当するので、ＭＡ＝Ａ０Ｈ、ＭＢ＝９８Ｈであったとすると、
ＭＡ’  ＝  Ａ０Ｈ  −  ２．３２＊８  ≒  ８ＤＨ
ＭＢ’  ＝  ９８Ｈ  −  ０．３２＊８  ≒  ９５Ｈ
と演算される。
【００９２】
カメラマイコン１０１は、マスタフラッシュ３００のマスタマイコン３１３に対して、スレーブフラッシュ３００ＡへのＳ１０２７にて演算された発光量ＭＡ’の情報をインターフェース１３０を介して送信する（Ｓ１０２８）。また、スレーブフラッシュ３００Ｂに対しても同様に、Ｓ１０２７にて演算された発光量ＭＢ’の情報をインターフェース１３０を介して送信する。
【００９３】
マスタフラッシュのマスタマイコン３１３は、スレーブフラッシュ３００Ａと３００Ｂを同時に発光させる為に、スレーブフラッシュ３００Ａには発光量ＭＡ’の情報（前述の例であれば８ＤＨ）を光通信にて送信する（Ｓ１０２９）。同様に、スレーブフラッシュ３００Ｂには発光量ＭＢ’の情報（前述の例であれば９５Ｈ）を光通信にて送信する。送信データは、１バイト目はスレーブフラッシュ３００Ａ及びスレーブフラッシュ３００Ｂの両方同時の発光なので１０００００００となる。２バイト目はスレーブフラッシュ３００Ａの発光量ＭＡ’なので１０００１０１１となり、３バイト目はスレーブフラッシュＢの発光量ＭＢ’なので１００１０１０１となる（図７参照）。
【００９４】
実際のマスタフラッシュ３００の光通信は、図６（ｅ）のマスタフラッシュの発光波形Ｔ２乃至Ｔ５タイミングで上記データに当てはめた形になる。
【００９５】
スレーブフラッシュ３００Ａのスレーブマイコン３１３Ａは、光通信を受け、マスタフラッシュ３００の発光開始パルスに同期して発光量ＭＡ’（前述の例であれば８ＤＨ）で放電管３０７Ａを発光させる。発光を行うタイミングは、図６（ｆ）に示されるように、スレーブフラッシュ３００Ａの発光波形のＴ６のタイミングである。
【００９６】
スレーブフラッシュ３００Ｂのスレーブマイコン３１３Ｂは、光通信を受け、マスタフラッシュ３００の発光開始パルスに同期して発光量ＭＢ’（前述の例では９５Ｈ）で放電管３０７Ｂを発光させる。Ｓ１０３０Ｂの発光を行うタイミングは、図６（ｇ）に示されるように、スレーブフラッシュ３００Ｂの発光波形のＴ６のタイミングである。
【００９７】
カメラマイコン１０１は、入力キー１７０によって入力された光量比で発光したスレーブフラッシュ３００Ａ及び３００Ｂの照射し、撮影を行う（Ｓ１０３０）。該撮像画像（第４の画像）の画像データを記録媒体１０７に保存し（Ｓ１０３１）、処理を終了する（Ｓ１０３２）。
【００９８】
Ｓ１０２５において保存開始部材を操作した場合、カメラマイコン１０１は、Ｓ１０２４によって合成した画像データを記録媒体１０７に保存し（Ｓ１０４０）、処理を終了する（Ｓ１０４１）。
【００９９】
なお、本実施例においてスレーブフラッシュは、３００Ａと３００Ｂの２つを用いたが、スレーブフラッシュの数が３つ以上でも構わない。また、３つ以上のスレーブフラッシュを用いる場合に、複数のスレーブフラッシュをグループに分け、グループごとにプリ発光及びメイン発光する構成でも構わない。
【０１００】
また、マスタフラッシュ３００は、カメラ本体１００に内蔵される形式であっても構わないし、マスタフラッシュ３００自体がスレーブフラッシュ３００Ａ又は３００Ｂの代わりにプリ発光、メイン発光をする形態でも構わない。
【０１０１】
また、本実施例の撮影システムでは、マスタフラッシュ、スレーブフラッシュは光通信で制御しているが、電波による無線制御、放電管以外での光通信制御であっても構わなし、有線で制御する方式でも構わない。
【０１０２】
さらに、制御手段、光量比選択手段、画像演算手段をカメラに内蔵せず、パーソナルコンピュータを用いて、該パーソナルコンピュータに本実施例と同様の処理を行わせても構わない。
【図面の簡単な説明】
【０１０３】
【図１】本発明の実施例によるカメラ、レンズ及びマスタフラッシュを表すブロック図。
【図２】本発明の実施例によるスレーブフラッシュ３００Ａ及び３００Ｂを表すブロック図。
【図３】本発明の実施例によるカメラ、マスタフラッシュ、スレーブフラッシュ３００Ａ及びスレーブフラッシュ３００Ｂの配置を側面図及び上面図。
【図４】本発明の実施例による光量比の設定と設定された光量比で撮影した際の画像を表した図。
【図５】本発明の実施例によるワイヤレス通信の信号、光通信信号２バイト、スレーブフラッシュの発光波形を表したタイミングチャート。
【図６】本発明の実施例によるワイヤレス通信の信号、光通信信号３バイト、スレーブフラッシュＡ、Ｂの発光波形を表したタイミングチャート。
【図７】本発明の実施例によるワイヤレス光通信のデータフォーマットを表す表。
【図９】本発明の実施例によるスレーブフラッシュの光通信１バイト時の割込処理を表すフローチャート。
【図８】本発明の実施例によるスレーブフラッシュの光パルス受信割込みを表すフローチャート。
【図１０】本発明の実施例による光量比確認の動作を表すフローチャート。
【図１１】本発明の実施例による光量比確認の動作を表すフローチャート。
【図１２】本発明の実施例による光量比設定Ａ：Ｂにおける、撮像画像の補正倍率とスレーブフラッシュの発光量の補正段数を表す表。
【符号の説明】
【０１０４】
１００    カメラ本体
１０１    マイクロコンピュータ
１０２    撮像素子
１２０，１３０    インターフェース
１５０    主ミラー
１５１    ピント板
１５２    ペンタプリズム
１５３，１５４    測光ユニット
１５５    シャッター
１６０    ファインダ
２００    交換レンズ
２０１    レンズマイコン
２０２    結像レンズ
３００    マスタフラッシュ
３０１    電池
３０３    コンデンサ
３０７    放電管
３１３    マスタフラッシュマイコン
【図１】
2010008832.tif 000003
【図２】
2010008832.tif 000004
【図３】
2010008832.tif 000005
【図４】
2010008832.tif 000006
【図５】
2010008832.tif 000007
【図６】
2010008832.tif 000008
【図７】
2010008832.tif 000009
【図８】
2010008832.tif 000010
【図９】
2010008832.tif 000011
【図１０】
2010008832.tif 000012
【図１１】
2010008832.tif 000013
【図１２】
2010008832.tif 000014